(57)【要約】      （修正有）【課題】軽量でかつ容易に移動可能な自立型の飛沫感染防止用盾を提供する。【解決手段】医療従事者と患者とを隔離する隔離パネル本体２と、その周囲に患者側に突出するように配置された袖壁部と、左右の袖壁部からさらに患者側に突出され、かつ床面に設置可能な高さを有する側方遮蔽部４、５とを備える。隔離パネル本体には、視認用窓６と左右の操作用開口とを有し、側方遮蔽部により盾は自立可能とされる。隔離パネル本体、袖壁部および側方遮蔽部は軽量樹脂パネル又は段ボールにより形成され、軽量で容易に移動することができる。【選択図】図５
0003226600.tif 000002
【実用新案登録請求の範囲】
【請求項１】
医療従事者と患者とを隔離する隔離パネル本体と、その周囲に患者側に突出するように配置された袖壁部と、左右の袖壁部からさらに患者側に突出され、かつ床面に設置可能な高さを有する側方遮蔽部とを備え、隔離パネル本体には、視認用窓と左右の操作用開口とを有し、側方遮蔽部により自立可能とされ、隔離パネル本体、袖壁部および側方遮蔽部が、軽量樹脂パネルまたは段ボールにより形成されていることを特徴とする飛沫感染防止用盾。
【請求項２】
前記隔離パネル本体と、その周縁から折り返し可能に設けられた前記袖壁部とが一体的に形成され、これらの隔離パネル本体および袖壁部が、左右の側方遮蔽部と共に、軽量樹脂パネルまたは段ボールからなる一枚又は複数枚のパネルから切出し可能に構成され、各側方遮蔽部が左右の袖壁部に接合手段により接合されて自立可能とされた請求項１記載の組立式の飛沫感染防止用盾。
【請求項３】
側方遮蔽部が上部側よりも下部側が患者側に突出する側面視で直角三角形に形成されている請求項１又は２に記載の飛沫感染防止用盾。
【考案の詳細な説明】
【技術分野】
【０００１】
本考案は、感染性の飛沫の拡散を防止する飛沫感染防止用の盾に関するものである。
【背景技術】
【０００２】
この種の飛沫感染防止用盾として、特許文献１には、折り返し袖付き隔離パネルを備え、病原体の発生源（患者）から飛散する感染性の飛沫は、隔離パネルの中央平面部によって阻止し、左右上下への拡散は四辺に設けられた折り返し袖によって発生源側に偏向する。このため、感染性飛沫の発生源から生じた突発的な桐生の大部分は、発生源側に逆流して操作（処置者）者側に侵入してこない。このような隔離パネルはフレーム（骨組）に軟性素材のカーテンを被せる構造として軽量にして簡易であり、移動可能な構造であるため限られた面積の閉鎖空間内でも自由な位置に設置できる。
【先行技術文献】
【特許文献】
【０００３】
【特許文献１】特開2011-83305号公報
【考案の概要】
【考案が解決しようとする課題】
【０００４】
ところで、特許文献１の隔離パネルはフレーム（骨組）に透明な軟性素材のカーテンを被せる構造としているので、カーテンの廃棄は容易に行え、使用後の交換が可能であるが、自立するためのフレームは別に製作する必要があり、フレーム部材を廃棄するか否かまでは不明である。フレーム部材は、自立可能でかつカーテンを被われても形状保持しなければならないため、それなりの剛性が必要となる。したがって、盾全体の製作の手間およびコスト高となる難点がある。
【０００５】
本考案は、軽量でかつ容易に移動可能な自立型の飛沫感染防止用盾の提供を目的としている。
【課題を解決するための手段】
【０００６】
上記目的を達成するために、本考案に係る飛沫感染防止用盾は、医療従事者と患者とを隔離する隔離パネル本体と、その周囲に患者側に突出するように配置された袖壁部と、左右の袖壁部からさらに患者側に突出され、かつ床面に設置可能な高さを有する側方遮蔽部とを備え、隔離パネル本体には、視認用窓と左右の操作用開口とを有し、側方遮蔽部により自立可能とされ、隔離パネル本体、袖壁部および側方遮蔽部が、軽量樹脂パネルまたは段ボールにより形成されていることを特徴とする。
【０００７】
前記隔離パネル本体と、その周縁から折り返し可能に設けられた前記袖壁部とが一体的に形成され、これらの隔離パネル本体および袖壁部が、左右の側方遮蔽部と共に、軽量樹脂パネル又は段ボールからなる一枚又は複数枚のパネルから切出し可能に構成される。
【０００８】
そして、軽量樹脂パネル又は段ボールからなる一枚のパネルから、隔離パネル本体および袖壁部を切り出し、その後、隔離パネル本体に対して周縁の袖壁部を患者側に折り返しておく。さらに、パネルから左右の側方遮蔽部を切り出し、各側方遮蔽部を左右の袖壁部に接着剤、粘着テープ、面ファスナ等の接合手段により接合して、本実施形態の盾を自立させる。
【０００９】
ここで、側方遮蔽部は、患者からの飛沫を側方においても遮蔽するために設置されるもので、その形状も特に限定されず、矩形のものや楕円状のもの、さらに、三角形状のものなど、種々の形状を採用することができるが、上部側よりも下部側が患者側に突出する側面視で直角三角形のものが特に好ましい。
【考案の効果】
【００１０】
このように、本考案によると、盾そのものとして、軽量樹脂パネルまたは段ボールを使用しているので、軽量であり、移動も自由に行える。しかも、側方遮蔽部をさらに突出して発生源から側方への飛散も極力防止する構成としているので、より感染防止が可能となる。しかも、パネルから隔離パネル本体、袖壁部、さらには側方遮蔽部を切り出し、接着剤やテープ等の接合手段で組み立てることができるので、工場生産のみならず、現場でも組み立てることができるといった優れた効果が期待できる。
【図面の簡単な説明】
【００１１】
【図１】本考案の実施形態である飛沫感染防止用盾の正面斜視図である。
【図２】同じく飛沫感染防止用盾の背面斜視図である。
【図３】パネルから切出し状態を示す図で、（ａ）は隔離パネル本体と袖壁部を示す、（ｂ）は側方遮蔽部と操作用開口案内筒とを示す。
【図４】操作用開口に医療用手袋を装着した状態を示す正面斜視図である。
【図５】同じく医療従事者の使用状態を示す正面斜視図である。
【図６】同じく医療従事者の使用状態を示す背面斜視図である。
【図７】さらに透明シートで隔離した状態を示す使用状態斜視図である。
【考案を実施するための形態】
【００１２】
以下、本考案の実施形態を図面に基づいて説明する。本実施形態は、飛沫感染防止用盾１は、医療従事者Ｄと患者Ｐとを隔離する隔離パネル本体２と、その周囲に患者側に突出するように配置された袖壁部３と、左右の袖壁部３ａ，３ｂからさらに患者側に突出され、かつ床面に設置可能な高さを有する側方遮蔽部４，５とを備え、これらは、軽量樹脂パネルまたは段ボールにより形成されている。なお、図４において、椅子がある方が患者側である。図６に示す人物は医療従事者Ｄである。
【００１３】
隔離パネル本体２には、その中央部に背面側より患者を視認することができる矩形状の視認用窓６が形成され、その左右の下側に医療従事者Ｄが患者の診察等するための操作用開口７が形成されている。視認用窓６には、患者と隔離するための透明なフィルム８が貼り付けられている。この透明なフィルム８を含んで視認用窓６と称する。
【００１４】
視認用窓６の下側には、聴診器等を貫通させる蓋付の貫通孔９が形成され、通常は蓋により閉鎖され、必要な場合のみ蓋を開放して聴診器等を通すことができるようになっている。
【００１５】
操作用開口７は、図３（ａ）に示すように、周囲に切込みを入れて外側に開放するように設定される。この開口７の患者側には、図４に示すように、医療用手袋１０の挿脱口の裾部を止着し、隔離パネル本体２の背面側から医療従事者が医療用手袋１０に挿入できるようになっている。
【００１６】
袖壁部３は、患者側に突出する左右の袖壁部３ａ，３ｂと、左右の袖壁部３ａ，３ｂの上端に連続して上方を覆う庇状の袖壁部３ｃと、左右の袖壁部３ａ，３ｂの下端同士を連結する底袖壁部３ｄとから周状に形成され、この袖壁部３により患者からの飛沫が医療従事者Ｄ側に拡散するのを防止できるようになっている。
【００１７】
側方遮蔽部４，５は、上部側よりも下部側が患者側に突出する側面視で直角三角形状に形成され、自立可能とされている。さらに、側方遮蔽部４，５の下端は左右外方向に折り返して着座フランジ１１が形成され、さらに自立が確実に行われるようになっている。
【００１８】
これらの隔離パネル本体２、袖壁部３および側方遮蔽部４，５は、軽量樹脂パネルまたは段ボールにより形成されている。軽量樹脂パネルとしては、発泡スチロールや合成樹脂製の中空パネル等が例示できる。また、段ボールとしては、紙製あるいは樹脂製のものが例示できる。いずれも軽量であり、自由に移動できる利点がある。
【００１９】
隔離パネル本体２と、その周縁に折り返し可能に袖壁部３とは、図３（ａ）に示すように一枚のパネル１３により一体的に形成されて切り出し可能とされる。また、左右の側方遮蔽部４，５や操作用開口７に嵌入する案内筒１５は、図３（ｂ）に示すように、隔離パネル本体２と同様に、一枚のパネル１４から切出し可能とされる。一対の案内筒１５は、図３（ｂ）に示すように、一枚のパネル１４から平板状に切出し可能とされており、その平板を円筒状にまるめて端部同士を接合して案内筒１５とし、この案内筒１５を操作用開口７に嵌入して接合する。なお、図３において、パネル１３，１４のハッチングで示す部分は余白部であり、不要部分として切除し、他の用途に利用する等すればよい。
【００２０】
上記構成において、軽量樹脂パネル又は段ボールからなる一枚のパネル１３から、隔離パネル本体２および袖壁部３を切り出す。その後、隔離パネル本体２に対して周縁の袖壁部３を患者側に折り返しておく。
【００２１】
一方、軽量樹脂パネルまたは段ボールからなる、もう一枚のパネル１４から左右の側方遮蔽部４，５を切り出し、また、案内筒１５も切出す。各側方遮蔽部４，５は、その下端の着座フランジ１１を折り曲げ、左右の袖壁部３ａ，３ｂに接着剤、粘着テープ、面ファスナ等の接合手段により接合して盾１を自立させる。
【００２２】
案内筒１５は平板状のものを円筒状にまるめて接合し、操作用開口７に接着剤やテープ等の接合手段により接合する。さらに、操作用開口７の患者側には、医療用手袋１０を接合しておく。また、視認用窓６には透明フィルム８を貼り付けて、患者からの飛沫が医療従事者側に拡散するのを防止する。
【００２３】
このように組み立てられた盾１は、側方遮蔽部４，５が床面に着座可能とされているため自立することができる。しかも、盾は軽量樹脂パネル又は段ボールで構成されているため、軽量であり自由に移動することができる。したがって、屋内外を問わず、盾１を設置することができ、患者からの飛沫感染が医療従事者側に飛散するのを防止することができる。
【００２４】
しかも、側方遮蔽部４，５は、袖壁部３からさらに患者側に突出しているので、発生源から側方への飛散も極力防止することができ、より感染防止が可能となる。
【００２５】
しかも、複数枚のパネル１３，１４から隔離パネル本体２、袖壁部３、さらには側方遮蔽部４，５を切り出し、接着剤、粘着テープ、さらには面ファスナ等の接合手段により組み立てることができるので、工場生産のみならず、現場でも組み立てることができる。
【００２６】
なお、本考案は上記実施形態に限定されるものではなく、本考案の範囲内で多くの修正・変更を加えることができるのは勿論である。例えば、本実施形態の盾１に図７に示すように、透明シート１６を付加して、さらに飛沫感染を防止するようにしてもよい。また上記実施形態では、盾を構成する隔離パネル本体、袖壁部を一枚のパネルにより構成し、左右の側方遮蔽部および案内筒をもう一枚のパネルを使用して形成したが、すなわち、複数枚のパネルを用いて盾を組み立てたが、これに限らず、盾を構成する部品を一枚のパネルで構成することも可能である。
【符号の説明】
【００２７】
Ｄ    医療従事者
１    飛沫感染防止用盾
２    隔離パネル本体
３    袖壁部
３ａ、３ｂ    左右の袖壁部
３ｃ    
４，５    側方遮蔽部
６    視認用窓
７    操作用開口
８    透明なフィルム
９    蓋付の貫通孔
１０    医療用手袋
１１    着座フランジ
１３    パネル
１４    パネル
１５    案内筒
１６    透明シート
【図１】
0003226600.tif 000003
【図２】
0003226600.tif 000004
【図３】
0003226600.tif 000005
【図４】
0003226600.tif 000006
【図５】
0003226600.tif 000007
【図６】
0003226600.tif 000008
【図７】
0003226600.tif 000009